(57)【特許請求の範囲】
【請求項１】
手前側プーリと該手前側プーリよりも大径の奥側プーリとがプーリ軸の軸方向に並設されると共に、手前側プーリと奥側プーリとの境界にプーリフランジが設けられた二段掛けプーリのうち、奥側プーリのプーリ溝に周長方向に伸長可能なベルトを取り付けるためのベルト取付治具であって、
手前側プーリに着脱自在とされ、奥側プーリのプーリ溝に取り付けたベルトが手前側に外れるのを阻止する外れ止めが設けられ、該外れ止めは、ベルト取付治具の装着状態で手前側プーリと奥側プーリとの境界のプーリフランジよりも半径方向外向きに突出する高さに設定されたことを特徴とするベルト取付治具。
【請求項２】
手前側プーリのプーリ溝に底部を嵌めると共に、奥側プーリから境界のプーリフランジを跨いで手前側プーリに掛けた前記ベルトで押さえることにより、手前側プーリに装着されることを特徴とする請求項１に記載のベルト取付治具。
【請求項３】
プーリ回転方向における前端に、前記ベルトを手前側プーリのプーリ溝から奥側プーリのプーリ溝に案内する案内面が形成されたことを特徴とする請求項１又は２に記載のベルト取付治具。
【請求項４】
プーリ回転方向における後端に、前記外れ止めよりも半径方向外向きに突出する突起が形成されたことを特徴とする請求項１、２又は３に記載のベルト取付治具。
【請求項５】
手前側プーリと該手前側プーリよりも大径の奥側プーリとがプーリ軸の軸方向に並設されると共に、手前側プーリと奥側プーリとの境界にプーリフランジが設けられた二段掛けプーリのうち、奥側プーリのプーリ溝に周長方向に伸長可能なベルトを取り付けるためのベルト取付方法であって、
手前側プーリにベルト取付治具を装着し、該ベルト取付治具よりもプーリ回転方向前方で前記ベルトを手前側プーリに掛けると共に、手前側プーリと奥側プーリとの境界のプーリフランジを跨がせるようにして、ベルト取付治具よりもプーリ回転方向後方で前記ベルトを奥側プーリに掛け、二段掛けプーリを回転させながら、ベルトの全体を手前側プーリから奥側プーリにシフトさせることを特徴とするベルト取付方法。
【発明の詳細な説明】
【技術分野】
【０００１】
本発明は、二段掛けプーリの奥側プーリに、周長方向に伸長可能なベルトを取り付けるためのベルト取付治具、及びベルト取付方法に関するものである。
【背景技術】
【０００２】
一般に、外周面にプーリ溝を有するプーリにベルトを掛巻してなるベルト伝動機構には、ベルトをプーリに取り付けてから所定のベルト張力を付与するように、テンションプーリなどの張力調整手段が設けられている。
【０００３】
このような張力調整手段を不要にするため、プーリに取り付ける際に周方向に伸長させてプーリフランジを乗り越えさせるようにしたベルトが出現しており、さらに、特許文献１は、ベルトを周長方向に伸長させながら手前側プーリを乗り越えさせて二段掛けプーリのうちの奥側プーリに取り付けるためのベルト取付治具を開示している。
【０００４】
図５に、特許文献１が開示するベルト取付治具を示す。ベルト取付治具１０１は、二段掛けプーリ１０３の手前側を通るベルト１０２を外周側に導入する導入部１０４と、導入部１０４から奥側プーリ１０５までベルト１０２を案内する差渡しガイド１０６とを備え、このベルト取付治具１０１よりもプーリ回転方向の後方のベルト１０２を奥側プーリ１０５に嵌めるようになっている。
【０００５】
ベルト取付治具１０１を装着した二段掛けプーリ１０３を回転させることにより、ベルト１０２のうちの奥側プーリ１０５に嵌った範囲が徐々に広げられ、やがて、差渡しガイド１０６の表面を滑って奥側プーリ１０５に嵌まることにより、ベルト１０２の全体が奥側プーリ１０５に取り付けられる。
【特許文献１】特開２００７−１２０６７８号公報（段落番号００２１、００３５〜００３６、図１）
【発明の開示】
【発明が解決しようとする課題】
【０００６】
ところが、特許文献１のベルト取付治具は、二段掛けプーリの手前側プーリと奥側プーリとが同径である場合に、その奥側プーリにベルトを取り付けるためのものであり、手前側プーリよりも大径の奥側プーリにベルトを取り付けることができない。
【０００７】
本発明は、手前側プーリよりも大径の奥側プーリにベルトを取り付けることのできるベルト取付治具及びベルト取付方法の提供を目的とする。
【課題を解決するための手段】
【０００８】
上記目的を達成するために、本発明に係るベルト取付治具は、手前側プーリとこの手前側プーリよりも大径の奥側プーリとがプーリ軸の軸方向に並設されると共に、手前側プーリと奥側プーリとの境界にプーリフランジが設けられた二段掛けプーリのうち、奥側プーリのプーリ溝に周長方向に伸長可能なベルトを取り付けるためのものであり、手前側プーリに着脱自在とすると共に、奥側プーリのプーリ溝に取り付けたベルトが手前側に外れるのを阻止するための外れ止めを設けたものである。さらに、その外れ止めを、ベルト取付治具の装着状態で手前側プーリと奥側プーリとの境界のプーリフランジよりも半径方向外向きに突出する高さに設定したものである。
【０００９】
上記構成によれば、ベルト取付治具を手前側プーリに装着し、その外れ止めによって、奥側プーリに取り付けたベルトが手前側に外れるのを阻止するので、少なくとも外れ止めの位置において、ベルトを奥側プーリに掛けた状態に保つことができる。しかも、ベルト取付治具を装着する二段掛けプーリは、その手前側プーリが奥側プーリよりも小径であり、ベルトの一部を小径の手前側プーリに掛けることにより、ベルトに張力を作用させることなく、ベルトの他の一部を大径の奥側プーリに掛けることができる。
【００１０】
これにより、ベルトに張力を作用させることなく、ベルト取付治具を境にして、プーリ回転方向前方でベルトを手前側プーリに掛けて、プーリ回転方向後方でベルトを奥側プーリに掛けることができる。さらに、この状態で、二段掛けプーリを回転させてベルト取付治具を前方に進めることにより、ベルトを伸長させながら、ベルトのうちの奥側プーリに掛けた範囲を徐々に広げて、ベルト全体を奥側プーリに取り付けることができる。
【００１１】
また、ベルト取付治具は、その底部を手前側プーリのプーリ溝に嵌めると共に、奥側プーリから境界のプーリフランジを跨いで手前側プーリに掛けたベルトで押さえることにより、手前側プーリに装着することもできる。
【００１２】
そうすれば、別の取付部を設けることなく、ベルト取付治具をプーリ溝に嵌めてベルトを掛けるだけで、手前側プーリにベルト取付治具を装着することができる。しかも、ベルトを手前側プーリからシフトさせて奥側プーリに取り付けた後は、ベルトによる押さえ付けが解除されるので、ベルト取付治具の取り外しも容易にすることができる。
【００１３】
プーリ回転方向における前端に、ベルトを手前側プーリのプーリ溝から奥側プーリのプーリ溝に案内する案内面を形成すれば、ベルトの極端な屈曲や擦れを生じることなく、スムーズにプーリフランジを乗り越えさせることができ、ベルトの損傷を防止することができる。
【００１４】
また、プーリ回転方向における後端に、外れ止めよりも半径方向外向きに突出する突起を形成することもできる。そうすれば、仮に、張力の作用するベルトが外れ止めを乗り越えることがあったとしても、そのベルトの外れを後端の突起で阻止することができるので、ベルトを取り付ける際の安全性を高めることができる。
【００１５】
また、本発明は、手前側プーリとこの手前側プーリよりも大径の奥側プーリとがプーリ軸の軸方向に並設されると共に、手前側プーリと奥側プーリとの境界にプーリフランジが設けられた二段掛けプーリのうち、奥側プーリのプーリ溝に周長方向に伸長可能なベルトを取り付けるためのベルト取付方法を提供する。
【００１６】
具体的には、まず、手前側プーリにベルト取付治具を装着し、このベルト取付治具よりもプーリ回転方向前方でベルトを手前側プーリに掛けると共に、手前側プーリと奥側プーリとの境界のプーリフランジを跨がせるようにして、ベルト取付治具よりもプーリ回転方向後方でベルトを奥側プーリに掛ける。次いで、二段掛けプーリを回転させながら、ベルトの全体を手前側プーリから奥側プーリにシフトさせる。
【００１７】
このベルト取付方法の構成を採用すれば、上記の構成のベルト取付治具を使用することによる効果と同様の効果を得ることができる。
【発明の効果】
【００１８】
以上のとおり、本発明によると、ベルト取付治具を二段掛けプーリのうちの手前側プーリに装着して、奥側プーリに取り付けたベルトが手前側に外れるのを阻止するようにしている。
【００１９】
これにより、ベルト取付治具を境にして、プーリ回転方向前方でベルトを小径の手前側プーリに掛け、プーリ回転方向後方でベルトを大径の奥側プーリに掛けることができる。さらに、この状態で、二段掛けプーリを回転させることにより、ベルトを伸長させながら、ベルト全体を奥側プーリに取り付けることができる。
【発明を実施するための最良の形態】
【００２０】
以下、本発明に係るベルト取付治具及びベルト取付方法を実施するための最良の形態について、図面を用いて説明する。
【００２１】
まず、ベルト取付治具の構成を説明する。図１は本発明に係るベルト取付治具の斜視図で、（ａ）は表面側から見た図を示し、（ｂ）は裏面側から見た図を示す。図２はプーリに装着したベルト取付治具の斜視図、図３はプーリに装着したベルト取付治具の正面図である。
【００２２】
ベルト取付治具１は、小径の手前側プーリ２ａ及び大径の奥側プーリ２ｂをプーリ軸方向に並設してなる二段掛けプーリ２のうち、奥側プーリ２ｂのプーリ溝３ｂに周長方向に伸長可能なベルト４を取り付けるためのものであり、手前側プーリ２ａに装着したベルト取付治具１を境にして、プーリ回転方向前方でベルト４を手前側プーリ２ａに掛け、プーリ回転方向後方でベルト４を奥側プーリ２ｂに掛けるようになっている。
【００２３】
このベルト取付治具１は、手前側プーリ２ａのプーリ溝３ａに嵌まる底部５と、ベルト４が奥側プーリ２ｂから手前側に外れるのを阻止する外れ止め６と、ベルト４を手前側プーリ２ａのプーリ溝３ａから奥側プーリ２ｂのプーリ溝３ｂに案内する案内面７と、外れ止め６よりも半径方向外向きに突出する突起８とを備え、これらが例えば合成樹脂や金属で一体成形されている。
【００２４】
底部５は、手前側プーリ２ａのプーリ溝３ａの溝底とほぼ同じ曲率に湾曲した板状とされ、プーリ溝３ａに嵌めて係止するよう、プーリ溝３ａの溝幅よりもわずかに小さな部材幅に設定される。この底部５をプーリ溝３ａに嵌めると共に、二段掛けプーリ２に掛けたベルト４で押さえてプーリ溝３ａからの浮き上がりを阻止することにより、ベルト取付治具１が手前側プーリ２ａに着脱自在に装着される。
【００２５】
また、底部５は、手前側プーリ２ａから奥側プーリ２ｂに移行するベルト４の反力を受けるベルト取付治具１を安定して装着できるよう、例えば、プーリ溝３ａに嵌めた状態で手前側のプーリフランジ９ａの外縁と面一になる厚さ、かつ安定させるのに十分な長さに設定されている。
【００２６】
なお、図１においては、底部５の底面を平坦面として図示しているが、底部５がプーリ溝３ａに十分に嵌合するよう、底部５の底面をプーリ溝３ａの溝形状に対応する形状に設定することもできる。例えば、ＶリブプーリにＶリブドベルトを取り付ける場合には、底部５の底面に、Ｖリブドベルトのリブ形状と同じリブ形状を形成すればよく、さらに、そのリブ形状は、底部５の全幅に形成してもよく、一つのリブ形状のみを形成するなど、底部５の一部に形成こともできる。これにより、ベルト取付治具１のプーリ軸方向の移動をより確実に規制して、ベルト取付治具１がプーリ軸方向に位置ずれするのを防止することができる。
【００２７】
外れ止め６は、底部５のほぼ全長にわたって底部５の奥側半分から表面側に突出する断面略三角形とされ、ベルト取付治具１の装着状態で、手前側プーリ２ａと奥側プーリ２ｂとの境界のプーリフランジ９ｂよりも半径方向外向きに突出する高さに設定されている。
【００２８】
外れ止め６の頂部６ａは、プーリフランジ９ｂの奥側面まで達するようプーリフランジ９ｂの外縁を覆う形状に形成され、奥側プーリ２ｂのプーリ溝３ｂに掛けたベルト４が手前側に外れるのを阻止する。
【００２９】
案内面７は、外れ止め６のプーリ回転方向前端部を前端側ほど薄くするテーパー状に設定してなり、手前側プーリ２ａのプーリ溝３ａに掛けたベルト４を滑らかに乗り上げさせて奥側プーリ２ｂのプーリ溝３ｂに案内する。この案内面７をこれに乗り上げたベルト４が押さえることにより、手前側プーリ２ａのプーリ溝３ａからのベルト取付治具１の浮き上がりが阻止される。
【００３０】
突起８は、底部５のプーリ回転方向後端部かつ奥側半分に、外れ止め６の後端部と連続して、かつ外れ止め６よりも表面側に突出して形成され、奥側から外れ止め６を乗り越えたベルト４の外れを規制する。
【００３１】
次に、ベルト取付方法を説明する。図４はベルト取付方法を説明する図である。
【００３２】
この方法は、二段掛けプーリ２の奥側プーリ２ｂのプーリ溝３ｂと、別プーリ１０のプーリ溝とに、ベルト４を取り付けるものである。ここで、二段掛けプーリ２は、共通のプーリに二本のベルトを掛巻するよう手前側プーリ２ａと奥側プーリ２ｂとをプーリ軸の軸方向に並設したものであり、その奥側プーリ２ｂが手前側プーリ２ａよりも大径に設定されている。
【００３３】
また、ベルト４は、テンショナーなどの張力調整手段を不要にするよう、周長方向に伸長可能とされたものであり、例えばベルト本体にポリアミドからなる心線を埋設した構造とすることによって周長方向の伸び率を２〜３％に設定される。なお、ベルト４として、Ｖリブドベルトを例示することができるが、平ベルトなどのＶリブドベルト以外のベルトであってもよい。
【００３４】
ベルト取付方法を具体的に説明すると、まず、図４（ａ）に示すように、手前側プーリ２ａのプーリ溝３ａと別プーリ１０のプーリ溝にベルト４を掛巻する。このとき、手前側プーリ２ａが小径である分、ベルト４は緩やかに掛巻される。
【００３５】
次いで、図４（ｂ）に示すように、手前側プーリ２ａのプーリ溝３ａにベルト取付治具１の底部５を嵌めると共に、ベルト取付治具１の前端の案内面７にベルト４を乗り上げさせて押さえることにより、手前側プーリ２ａにベルト取付治具１を装着する。
【００３６】
さらに、ベルト４を案内面７に乗り上げさせながらベルト幅方向に曲げるようにして境界のプーリフランジ９ｂを跨がせ、このベルト４を奥側プーリ２ｂに移行させてプーリ溝３ｂに掛ける。このとき、外れ止め６で、奥側プーリ２ｂのプーリ溝３ｂに掛けたベルト４が手前側に外れるのを阻止する。
【００３７】
これにより、ベルト取付治具１よりもプーリ回転方向前方でベルト４が手前側プーリ２ａに掛けられ、ベルト取付治具１よりもプーリ回転方向後方でベルト４が奥側プーリ２ｂに掛けられる。この状態ではベルト４に張力が作用しておらず、二段掛けプーリ２及び別プーリ１０に容易にベルト４を掛けることができる。
【００３８】
図４（ｃ）に示すように、二段掛けプーリ２をそのセンターボルト１１に例えば市販の工具１２を装着して回転させる。これにより、ベルト４を伸長させながら、ベルト取付治具１がプーリ回転方向前方に進み、ベルト４のうち、奥側プーリ２ｂのプーリ溝３ｂに掛けられた範囲が広がっていく。
【００３９】
このとき、張力の作用するベルト４が外れ止め６を乗り越えたとしても、プーリ回転方向の後端に形成した突起８がベルト４の外れを阻止するので、ベルト４を取り付ける際の安全性を高めることができる。なお、外れ止め６の手前側の面を傾斜面に形成しているので、二段掛けプーリ２をさらに回転させることにより、ベルト４を傾斜面に沿って押し上げて奥側プーリ２ｂのプーリ溝３ｂに取り付けることもできる。
【００４０】
やがて、ベルト４の全体が手前側プーリ２ａから奥側プーリ２ｂにシフトし、図４（ｄ）に示すように、ベルト４による押さえが解除されたベルト取付治具１が手前側プーリ２ａから外れる。その後、工具１２を取り外すことにより、ベルト４の取り付けが完了する。
【００４１】
なお、本発明は、上記の実施の形態に限定されるものではなく、本発明の範囲内において、適宜変更を加えることができる。例えば、ベルト取付治具１に案内面７や突起８を必ずしも設ける必要はない。また、ベルト取付治具１をベルト４で押さえて装着する代わりに、ベルト取付治具１を手前側プーリ２ａに装着するための専用の取付部を設けることもできる。
【図面の簡単な説明】
【００４２】
【図１】本発明に係るベルト取付治具の斜視図で、（ａ）は表面側から見た図を示し、（ｂ）は裏面側から見た図を示す
【図２】プーリに装着したベルト取付治具の斜視図
【図３】プーリに装着したベルト取付治具の正面図
【図４】ベルト取付方法を説明する図
【図５】従来のベルト取付治具を示す斜視図
【符号の説明】
【００４３】
１          ベルト取付治具
２          二段掛けプーリ
２ａ        手前側プーリ
２ｂ        奥側プーリ
３ａ、３ｂ  プーリ溝
４          ベルト
５          底部
６          外れ止め
６ａ        頂部
７          案内面
８          突起
９ａ、９ｂ  プーリフランジ
１０        別プーリ
１１        センターボルト
１２        工具
【図１】
0005090961.tif 000002
【図２】
0005090961.tif 000003
【図３】
0005090961.tif 000004
【図４】
0005090961.tif 000005
【図５】
0005090961.tif 000006